(57)【要約】【課題】比較的少数の刺激で十分正確な測定結果を出せる眼の視野を測定する視野計測方法を提供することである。【解決手段】本発明は、特に視野計等の眼科装置およびデータベースでデータ処理する手段を用いて行なう眼の視野を測定する視野計測方法であって、データベースは視野に関するデータセットを含み、眼の網膜を、視野を表す点（２１）に分割し、網膜の点に、規定した強度の光刺激を与え、刺激に対する反応を測定結果として計算し、少なくとも２個の所定点（Ｐ１２、Ｐ１６、Ｐ３８、Ｐ５２、Ｐ５５、Ｐ６５）を測定し、所定点夫々を、解剖学的に独立した神経線維領域（１１、１２、１３、１４、１５、１６）に配置し、互いに対して統計的に有意な関係にし、眼の視野を、測定結果およびデータセットから導き出す方法に関する。【選択図】図１
2011172932.tif 000002
【特許請求の範囲】
【請求項１】
特に視野計等の眼科装置およびデータベースでデータ処理する手段を用いて実施する眼の視野を測定する視野計測方法であって、    
前記データベースは視野に関するデータセットを含み、
前記眼の網膜を、前記視野を表す点（２１）に分割し、
前記網膜の前記点に、規定した強度の光刺激を与え、      
刺激に対する反応を測定結果として計算し、
少なくとも２個の所定点（Ｐ１２、Ｐ１６、Ｐ３８、Ｐ５２、Ｐ５５、Ｐ６５）を測定し、
前記所定点夫々を、解剖学的に独立した神経線維領域（１１、１２、１３、１４、１５、１６）に配置し、互いに対して統計的に有意な関係にし、
前記眼の視野を、前記測定結果および前記データセットから導き出すこと
を特徴とする方法。
【請求項２】
前記測定した所定点（Ｐ１２、Ｐ１６、Ｐ３８、Ｐ５２、Ｐ５５、Ｐ６５）の前記測定した結果を、前記データベースに保存した、各点に夫々対応させたデータセットと比較し、眼の視野を、前記測定した結果と略対応すると前記比較によって明らかになった前記データセットから導き出すことを特徴とする、請求項１に記載の方法。
【請求項３】
前記所定点（Ｐ１２、Ｐ１６、Ｐ３８、Ｐ５２、Ｐ５５、Ｐ６５）に対する前記測定した結果と、前記データセットの点に対応させた前記データベースに保存した前記測定した結果との差を、前記比較する際に比較評価基準として使用することを特徴とする、請求項１または２に記載の方法。
【請求項４】
前記所定点（Ｐ１２、Ｐ１６、Ｐ３８、Ｐ５２、Ｐ５５、Ｐ６５）を、前記データベースから選択することを特徴とする、請求項１〜３のいずれかに記載の方法。
【請求項５】
前記所定点（Ｐ１２、Ｐ１６、Ｐ３８、Ｐ５２、Ｐ５５、Ｐ６５）を互いに離間して配置することを特徴とする、請求項１〜４のいずれかに記載の方法。
【請求項６】
所定の第１点（Ｐ５２、Ｐ５５）を、第１刺激を用いて測定し、別の第２刺激の強度を、前点の測定結果に応じて、所定の更なる第２点（Ｐ１２、Ｐ１６）に対して決定し、次に前記第２点を、前記第２刺激を用いて測定することを特徴とする、請求項１〜５のいずれかに記載の方法。
【請求項７】
前記更なる刺激の強度を、前記次の点（Ｐ１２、Ｐ１６）に対して予測される前記データセットに含まれる前記測定結果を含めて、計算することを特徴とする、請求項６に記載の方法。
【請求項８】
２つの可能な強度の１つを、前測定結果に応じて選択することを特徴とする、請求項６または７に記載の方法。
【請求項９】
点（２１）を、単一の刺激を用いて測定することを特徴とする、請求項１〜８のいずれかに記載の方法。
【請求項１０】
点（２１）を、異なる強度を有する連続した刺激によって測定することを特徴とする、請求項１ないし８のいずれかに記載の方法。
【請求項１１】
第３および第４所定点（Ｐ１６、Ｐ５５）を、前記第１および第２点（Ｐ１２、Ｐ５２）と同様な方法で測定することを特徴とする、請求項１〜１０のいずれかに記載の方法。
【請求項１２】
前記４個の所定点（Ｐ１２、Ｐ１６、Ｐ３８、Ｐ５２、Ｐ５５、Ｐ６５）の１個を、それ自体の測定および前点（Ｐ１２、Ｐ１６、Ｐ５２、Ｐ５５）の測定の結果に応じて、再度測定してもよいことを特徴とする、請求項１１に記載の方法。
【請求項１３】
更なる所定点（Ｐ１２、Ｐ１６、Ｐ３８、Ｐ５２、Ｐ５５、Ｐ６５）を、２個の前点（Ｐ１２、Ｐ１６、Ｐ３８、Ｐ５２、Ｐ５５）の前記測定結果に応じて、測定することを特徴とする、請求項１〜１２のいずれかに記載の方法。
【請求項１４】
更なる所定点（Ｐ６５）を、全ての前点（Ｐ１２、Ｐ１６、Ｐ３８、Ｐ５２、Ｐ５５）の前記測定した結果に基づいて測定することを特徴とする、請求項１３に記載の方法。
【請求項１５】
追加の測定可能な点（２１）を、前記所定点（Ｐ１２、Ｐ１６、Ｐ３８、Ｐ５２、Ｐ５５、Ｐ６５）の後の第１測定段階（Ａ）で測定することを特徴とする、請求項１〜１４のいずれかに記載の方法。
【請求項１６】
全ての測定可能な点（２１）を、更なる３測定段階（Ｂ、Ｃ、Ｄ）で一緒に測定し、眼の視野を、全ての測定段階から前記測定した結果から得たメジアンから導き出すことを特徴とする、請求項１５に記載の方法。
【請求項１７】
前記第１測定段階（Ａ）前に、規定強度を有する１つの光刺激を、各所定点（Ｐ１２、Ｐ１６、Ｐ３８、Ｐ５２、Ｐ５５、Ｐ６５）に与え、次に前記測定結果を用いて、前記第１測定段階（Ａ）の前記次の光刺激の強度を決定することを特徴とする、請求項１５または１６に記載の方法。
【発明の詳細な説明】
【技術分野】
【０００１】
本発明は、眼の視野を測定するための、請求項１の特徴を有する視野計測方法に関する。
【背景技術】
【０００２】
視野計測方法は、眼の、従って被検者の視野を測定するのに定期的に用いられる。眼の視野は、例えば緑内障等の眼病の結果狭くなる可能性があり、緑内障が進行すると完全に失明することがある。その原因は、視神経の病気や神経線維の損傷である可能性がある。眼の神経線維は網膜の様々な神経線維に分かれ、該神経線維全てが、視細胞が全く存在しない視神経（視神経円板）および「盲点」へと繋がっている。
【０００３】
眼の視野の視野計測検査では、患者の眼に光刺激を与え、患者は与えられた刺激を検出したか否かを合図する。このように、視野計としては、コンピュータプログラムで制御して、様々な輝度レベルで且つ異なる位置で光点を投影する半球体を患者が覗き込むものが知られている。このようにして、視野の全範囲と視野の選択領域の状態の両方を検査できる。光点の輝度については、患者が光点を検出できる閾値を網膜上の位置に対して決める方法で変化させることもある。
【０００４】
視野と閾値を決定する様々な方法が関連技術から知られている。基本的に、様々な輝度階調を有する一連の刺激を、測定または検査する網膜上の点に指向させ、それにより該点に対する特定の閾値を決定するものである。閾値を配置するために、例えば、均一または不均一な階調でこれを行うことができる。更に、多数の人々の代表的な閾値を含むデータベースを、組込むこともできる。このようにして、例えば、可能な閾値範囲を、患者の年齢や性別を考慮した閾値範囲内に限定することもできる。また、網膜における直接隣接する領域または測定点間には関連性があることが知られている。そのため、例えば、閾値は通常、隣接点間では大幅に異ならない。従って、閾値を第１点に対して決定したならば、直接隣接する点に対する閾値を、推定閾値範囲内で求めることができる。よって、この方法の全体的な利点は、患者は少数の刺激を受けるだけで済み、視野をより迅速に決定できる点である。
【０００５】
視野を決定する際に、刺激が多数ならば必ずしも正確な結果が得られるというわけではない点に注意すべきである、というのも、被検者は測定中に神経的な網膜の疲労や疲れの影響を感じるのが全く普通で、そのために検査の結果が不正確なものになるからである。そのため、視野に関する試験や測定は、疲労の影響を無くすために、数回に分けて異なる時間に実施されることもある。よって、疲労の影響で測定結果が大幅に不正確にならないように、視野の測定時間を出来るだけ短くできる刺激数を用いて視野を決定することが一般的に望ましい。その一方で、出来るだけ正確に視野を測定する要求が存在し、そのためには多数の刺激が必要となる。
【発明の概要】
【発明が解決しようとする課題】
【０００６】
従って、本発明の基本的な目的は、比較的少数の刺激で十分正確な測定結果を出せる眼の視野を測定する視野計測方法を提案することである。
【課題を解決するための手段】
【０００７】
この目的を、請求項１の特徴を有する視野計測方法で解決する。
【０００８】
眼の視野を測定する視野計測方法を、特に視野計等の眼科装置、およびデータベースでデータ処理する手段を用いて実施し、該方法では、データベースは視野に関するデータセットを含み、眼の網膜を、夫々が視野を表す視野内対応点を持つ複数の点に分割し、該網膜の点に、規定した強度の光刺激を与え、刺激に対する反応を測定結果または検査結果として計算し、少なくとも２個の所定点を測定し、所定点夫々を、解剖学的に独立した神経線維領域に配置し、且つ互いに統計的に有意な関係にし、眼の視野を、測定結果およびデータセットから導き出す。
【０００９】
本発明による方法の範囲では、網膜上の第１所定点に刺激を与える。被検者が刺激に反応すること「刺激を検出／刺激を検出しない」により、刺激の強度を考慮して、当該点に対する測定および検査結果とする。当該点では、特に被検者による検出／非検出反応を、常に測定値または測定結果と見なすが、これは全体的な結果において該反応が測定結果に常に繋がる、或は一回だけ測定する場合、該反応がそのまま測定結果を表すことがあるからである。視野測定を開始する際には、測定する所定点は既知の測定点であるものと想定する。
【００１０】
本発明による方法は、互いに直接隣接する点に関して統計的関係が存在するのと同様に、互いに直接隣接していない、測定結果によって規定する網膜上の点の間にも統計的関係が存在する、という基本的な考えに基づいている。これに関連して、本方法を特徴付ける特徴は、統計的関係が認められる点を、互いに解剖学的に独立した神経線維領域に夫々配置することである。必要とする刺激数が増えるため、網膜内の同じ神経線維領域に位置する所定点を測定しないようにする。本方法によれば、神経線維領域を、神経線維領域を規定する機能的関係に基づいて特に細分化する。従来技術から知られる神経線維領域の定義では、同領域の形態学的定義を参照している。
【００１１】
所定点間の統計的繋がりは、該点間にある確率の関係に基づいている。例えば、第２所定点の閾値または閾値範囲を、第１所定点の閾値に高い確率で代入できる。データベースに含まれる視野に関するデータセットは夫々、所定点の測定結果間で相関関係がかなり高いことに基づいて他の所定点の測定結果と関係させた所定点を含む。しかしながら、所定点は経験からいずれにせよ既知であるので、本方法を実施するのに、データベースから所定点を絶対に決定する必要はない。従って、所定点を、本方法に関しては、第１点として測定する固定点と考えてもよい。
【００１２】
第１所定点を測定後、第２所定点を、刺激を与えて測定する。これら２点は、上述したように、統計的に関係しているので、測定結果を考慮して高い確率で実際に存在する該２点の測定結果から視野を推定するのが可能である。このために、多数の視野を含むデータベースを使用して、対象となる測定結果に対応する視野を、本方法の最終的な測定結果として生成する。このようにして、高精度の測定結果を、極めて少数の刺激を用いて得ることができ、それにより疲労に起因する測定の誤りを避けることができる。
【００１３】
本発明の一般的な目的は、検査時間を現行の戦略より大幅に短縮し、それにより検査を繰返し可能且つ平均化可能とし、その結果大幅に安定した結果を提供し、変動を少なくして、継続を容易にすることである。安定した結果により、正常パターンを一層正確に規定でき、結果を一層再現可能にできる。その結果、病状について正常および安定状態と進行状態とを区別するが容易になる。
【００１４】
測定した所定点の測定結果を、データベースに保存した、各点に対応させたデータセットと比較して、この比較によって測定結果と略対応すると示されたデータセットから眼の視野を導き出すことで、視野を測定結果として特に簡単に決定できる。
【００１５】
所定点に対する測定結果と、データセットの点に対応させたデータベースに保存した測定結果との差を、比較する際の比較評価基準として使用すれば、測定結果とデータセットとの比較が更に向上するかも知れない。例えば、所定点の測定値と比べた実際の保存した測定結果または閾値との閾値の差によって、次の指定した点の測定結果を予測するために、局所的な偏差を推定できる。予測した閾値の局所的な偏差を決定するのに、回帰分析または何らかの同様なアプローチを用いてもよい。
【００１６】
また、本方法を開始する前に規定した固定点としてではなく、データベースから所定点を選択して、所定点を採用することも可能である。このように、データベースが、本方法の一部として常に必要とする所定点を識別し、所定点を本方法の第１ステップで特定する役割を果たすこともある。そのため、データベースにおける変更が、所定点の選択に影響を与える可能性もある。
【００１７】
また、所定点を互いに離間させて配置してもよい。つまり、所定点を互いに直接隣接して配置せずに、所定点をそれらの間に点を配置して互いからはっきりと分離させる。所定点間の相対的な距離を比較的広くして、その結果として、所定点を比較的均等に視野全体に分布させてもよい。そのため、所定点間の既に述べた統計的関係が、広く分離した点についても存在する可能性がある。例えば、所定点間の相対的距離を、直線の範囲における視野の空間的広がりの割合として表した場合、直線の長さの５０％以上としてもよい。
【００１８】
本方法の有利な実施形態では、所定の第１点を第１刺激を用いて測定してもよく、別の第２刺激の強度を、所定の更なる第２点に対して、前の点の測定結果に応じて決定してもよく、続いて第２点を、第２刺激を用いて測定してもよい。そのため、第２点を対象とした刺激を、第１点の測定結果を分析した後に、第１測定結果に応じて選択してもよい。データベースを使用して、第２刺激と、閾値を高い確率で予測できる第２所定点に対する測定範囲を計算してもよい。このようにして、第２所定点に対する可能な閾値範囲を制限できると共に、全体的に少数の刺激が閾値を決定するのに必要となるという有利な結果となる。
【００１９】
また、第２刺激の強度を、第２点対して高い確率で予測されるデータセットに含まれる測定結果を用いて、計算してもよい。一般に、標準偏差を、予測される測定結果または閾値または閾値範囲の全計算する際に考慮してもよい。
【００２０】
前の測定結果に応じて、１または２つの可能な強度を選択するようにすれば、本方法を更に単純化できる。つまり、例えば所定点で特定の強度を有する刺激を患者が検出した場合、第２所定点を、第１強度を持つ刺激を用いて測定する。前の刺激を検出しなかった場合、第２強度を次の所定点に使用する。このように、２強度のどちらを用いるかの選択は、常に前の点に対する応答次第とする。これに関連して、可能な２強度の程度は、前述したように、次の点の予測される閾値の確率から導き出せる。
【００２１】
可能な刺激の数を出来るだけ少なく抑えるために、単一の刺激を用いて点を測定するようにしてもよい。つまり、単一の刺激だけを与えた後に、その点の測定を完了し、この後に更なる点の測定を行なってもよい。従って、測定として規定する方法ステップにおける測定のために連続した刺激を用いるようには設定していない。
【００２２】
或は、対照的に、異なる強度を有する連続した刺激を用いて、点を測定してもよい。そうすることで、例えば、閾値をより厳密に規定できる。本方法の範囲内での測定に関するこの規定によると、少なくとも２つの連続した刺激を用いて、点を測定する。勿論、単一の刺激と刺激の連続を、点測定夫々に対して混合することも考えられる。
【００２３】
本方法の更なる実施形態では、第３または第４所定点を、第１点および第２点と同様の方法で測定してもよい。所定点の数を増やせば、視野を導き出す際に、より正確な結果を得られる。
【００２４】
また、４所定点の１個を、それ自体の測定結果および前点の測定結果に応じて再び測定してもよい。このようにして、対象となる点の可能な閾値範囲を、前の結果を考慮して更により厳密に規定できる。このようにして、少数の刺激で更により正確な結果を得ることができる。
【００２５】
また、更なる所定点を、前の２点の測定結果に応じて測定するようにしてもよい。つまり、２点の測定結果を用いて、以前測定していない所定点を測定し、その測定結果に従い刺激強度を調整する。例えば、第１および第３所定点の測定結果を踏まえて、第５所定点を測定してもよい。
【００２６】
可能な次の方法ステップでは、更なる所定点を、前点全ての測定結果に基づいて測定してもよい。例えば、前点の全最終測定結果を、第６所定点を測定する際や対応する刺激を選択する際に、考慮してもよい。このようにして、結果の信頼性を更に高められる可能性がある。
【００２７】
視野に関して比較的正確な読取および結果を得るために、更なる測定可能な点を、所定点の後に第１測定段階で測定してもよい。規定によって、所定点後の点を固定点としない、つまり該点を、実質的に任意に、または所定点の測定結果に応じて選択してもよい。従って、所定点後の点を、必ずしも本方法の開始時に特定せず、その代わりに、本方法の途中で決定してもよい。対象となる追加点は、互いに独立する神経線維領域から開始してもよい。第１測定段階では、全ての他の追加点も測定してもよい、或は他の数点だけを測定してもよい。第１測定段階の結果を、所定点および追加点を測定した結果から視野を導き出したものとしてもよい。
【００２８】
本方法を、最大４測定段階から構成してもよく、全部で全てとなる測定可能な点を更なる３測定段階で測定し、眼の視野を、全測定段階から測定した結果から得た平均から導き出す。そのため、１視野を、各測定段階から導き出し、最終結果を、測定段階の４視野を平均化した視野としてもよい。このアプローチは、被検者の疲労の影響に配慮する必要がある場合に有利である。
【００２９】
また、第１測定段階の前に、規定した強度を有する光刺激を所定点に与えて、その測定結果を用いて、第１測定段階の次の光刺激の強度を決定してもよい。このようにして、仮閾値を一層厳密に規定でき、従って更に本方法を単純化できる。例えば、測定結果を用いて、網膜における重大な欠陥を識別または推定してもよい。その結果、他の次の点測定を、必要に応じて省略または簡略化してもよい。
【００３０】
本発明による方法を、視野計または他のそうした装置を使用して行なってもよく、視野計は、データベースでデータを処理する手段を含む。そうした種類の可能で有利な実施形態については、本方法のクレームにおける特徴の記載で明らかとなろう。
【００３１】
次に、本発明について、添付図を参照して更に詳細に説明する。
【図面の簡単な説明】
【００３２】
【図１】視野を表すドットマトリクスである。
【図２】患者から見たドットマトリクスである。
【図３】点について年齢で調整した閾値からの偏差に関する周波数分布プロットである。
【図４】図３のプロットと共に更なる点のプロットを示す。
【図５】図４から更なる点のプロットだけを示す。
【図６】点に関して年齢で調整した閾値からの偏差の周波数分布プロットである。
【図７】図６のプロットと共に更なる点のプロットを示す。
【図８】図７から更なる点のプロットを示す。
【図９】１方法ステップを用いた図１のドットマトリクスである。
【図１０】更なる方法ステップを用いた図７のドットマトリクスである。
【図１１】更なる方法ステップを用いた図１０のドットマトリクスである。
【図１２】更なる方法ステップを用いた図１１のドットマトリクスである。
【図１３】更なる方法ステップを用いた図１２のドットマトリクスである。
【図１４】ドットマトリクスを用いる各測定段階を表す。
【発明を実施するための形態】
【００３３】
以下では、可能な視野計測方法のワークフローについて、図１〜図１４を参照して説明する。
【００３４】
一般に、ドットマトリクスを使用して本方法を実施してもよい。図１では、１つの可能なドットマトリクス２０を示し、測定可能な網膜の視野を表しているが、網膜については本明細書では図示しない。つまり、視野計を介して規定した強度の光点の形で、眼に刺激を与えるが、その刺激を、ドットマトリクス２０に規定し、数カ所の神経領域を表す６８個の点２１中の１点に当てるようにしてもよい。点２１に、ドットマトリクス２０内で番号１〜６６（６８個中の２個は「視野の盲点」となる）を付けて、一層容易に区別可能にする。
以下では、点２１の１つについて言及するが、どの点のことであるかを示すのに、フォーマットＰｎｎ（以下の例では。Ｐ１〜Ｐ６６）を使用する。
【００３５】
ドットマトリクス２０を６つの神経線維領域１１〜１６に分割し、これらの神経線維領域を併せると網膜を表し、分離すると夫々異なる機能面を表すものとする。ドットマトリクス２０のゾーン１０は「視神経乳頭」、即ち、視野の盲点を表す。点Ｐ１２、Ｐ１６、Ｐ３８、Ｐ５２、Ｐ５５、Ｐ６５を所定の点、即ち、固定点として規定してある点２１とする。
【００３６】
本方法のワークフローによると、まず神経線維領域１２および１３にある点Ｐ５２および点Ｐ１２を４刺激で測定し、次に神経線維領域１４および１１にある点Ｐ５５および点Ｐ１６を４刺激で測定し、最後に神経線維領域１５および１６にある点Ｐ３８および点Ｐ６５を２刺激で測定するものとする。この連続した刺激における次の刺激強度を、常に、当該刺激の可能な閾値偏差に基づいて決定する。一般に、検討する閾値を、被検者の年齢および／または性別に対して修正する。
【００３７】
図２は、患者から視た、視野計のドットマトリクス２０を表したものである。検査ゾーン２２は６８個の点２１から構成される。一番外側の円は患者から視角が中心から３０°の範囲内を示しており、この円の範囲内に該点２１により直交パターンを形成する。隣接する点２１相互間は水平方向および垂直方向に患者から視角が夫々６°離隔している。点２１をＸ軸およびＹ軸について対称的に配列し、Ｘ軸またはＹ軸の直上には点を配置しない。点２１の最大偏心度を水平方向に＋／−２７°、垂直方向に＋／−２１°とする。
【００３８】
図３〜図８は夫々、点２１における年齢で調節した閾値からの偏差に関する周波数分布プロットを示す。この場合、簡略化するために刺激強度を対数値として単位デシベル（ｄＢ）で表現している。図３〜図５を一緒に見ると分かるように、点Ｐ５２に対する測定（図３）を、通常の閾値より強度６．８ｄＢ高い第１刺激で実行する。反応「見えるまたは見えない」によって、この点の閾値の可能な偏差を、見えた場合「３．１ｄＢ」、見えなかった場合「１３．２ｄＢ」と計算できる。
さらに図６に従い、点Ｐ５５を同様にして第２刺激、即ち、通常の閾値より５．４ｄＢ高い強度で測定して、可能な結果は、見えた場合「１．８ｄＢ」、または見えなかった場合「１１．８ｄＢ」となる。
次に、点Ｐ１２を、点Ｐ５２の測定結果に基づいて、通常の閾値より１．９４ｄＢまたは１２．３ｄＢ高い強度を有する、図４に示したような第３刺激で測定する。
【００３９】
図５および図８は夫々、４つの可能な周波数分布を有するプロットを示している。図５で示すように、刺激強度を通常の閾値より「１９．４ｄＢ」高くすると、測定結果は、通常の閾値よりも見えた場合「０．３ｄＢ」高く、見えない場合「３．５ｄＢ」高くなる。刺激を通常の閾値よりも「１２．３ｄＢ」高くすると、測定結果は、刺激が検出された場合「７．１ｄＢ」となり、刺激が検出されない場合「２０．９ｄＢ」となる。同じ手順をその後点Ｐ１６に対する第４刺激で、図７および図８のプロットで示すように、点Ｐ５５の結果に夫々応じて行なう。
【００４０】
よって、これらの方法ステップの結果、点Ｐ１２と点Ｐ１６夫々に対する可能な４つの結果が出る。従って、まず被検者を、これまでに測定した点２１の閾値に関して該当する特定の周波数分布によって、１６のグループの内１グループに分類してもよい。
【００４１】
図９で示すように、点Ｐ５２を第５刺激で測定し、新たな強度を、第５刺激に対して点Ｐ５２と点Ｐ１２の結果に基づいて計算する。同様にして、点Ｐ５５を、第６刺激を与えた後に再び計算する。図１０で示すように、次に、第７刺激を点Ｐ１２に与え、この場合、また第７刺激の強度を、点Ｐ１２の前回の結果と点Ｐ５２の再計算した結果に基づいて、再計算する。この手順を、同様にして点Ｐ１６に対して第８刺激を用いて繰返す。
【００４２】
点Ｐ５２と点Ｐ５５からの結果により、図１１で示すように、第９刺激に対する強度を点Ｐ６５に対して計算でき、最後に点Ｐ３８を第１０刺激で測定する。第１０刺激の強度を、図１２で示すように、前回の全ての点Ｐ１２、Ｐ５２、Ｐ６５、Ｐ５５、Ｐ１６の結果から導ける。この検査は、１０刺激に対して２０〜３０秒かかる。
【００４３】
最後に、まだ測定していない全ての点２１の最大欠陥数を、６個の所定点２１の測定値に基づいて回帰分析を用いて予測する。図１３および図１４で示すように、第１測定段階を完了するには、更なる点２１を、所定点２１の結果を用いて測定する。図１４のＡで示した第１測定段階のドットマトリクス２０で分かるように、１個の所定点２１を、神経線維領域１１〜１６夫々で測定する。測定した点２１夫々をここでは太字の数字で識別できる。文字Ｂで示した第２測定段階では、５個の点２１を神経線維領域１１で測定し、４個を神経線維領域１２で、５個を神経線維領域１３で、４個を神経線維領域１４で、１個を神経線維領域１５で、２個を神経線維領域１６で測定する。続く、文字ＣおよびＤで夫々示した第３、第４測定段階では、残りの点２１全てを測定する。このようにして、数点だけを検討したなら軽視される可能性がある可能な重大な欠陥について結論を出すことも可能である。
【符号の説明】
【００４４】
１１〜１６  神経線維領域
２０      ドットマトリクス
２１      点
２２      検査ゾーン
２３      円弧
【図１】
2011172932.tif 000003
【図２】
2011172932.tif 000004
【図３】
2011172932.tif 000005
【図４】
2011172932.tif 000006
【図５】
2011172932.tif 000007
【図６】
2011172932.tif 000008
【図７】
2011172932.tif 000009
【図８】
2011172932.tif 000010
【図９】
2011172932.tif 000011
【図１０】
2011172932.tif 000012
【図１１】
2011172932.tif 000013
【図１２】
2011172932.tif 000014
【図１３】
2011172932.tif 000015
【図１４】
2011172932.tif 000016